(57)【要約】【課題】汎用性に富み安価で容易に接続形態を変更し、設計自由度を向上させることができる電気接続箱を提供すること。【解決手段】電気接続箱１００は、ヒューズ接続用端子１１、リレー接続用端子１２およびコネクタ接続用端子１３を備えた一方向に二分割可能な構造の第１および第２電気接続箱ケース１０，２０からなる電気接続箱筐体部３０と、これら電気接続箱ケース間に配置され、各端子と所定の回路を構成する導体部４１を介して電気的に接続される回路基板４０とを備える。回路基板４０は、基板両面に形成された導体部４１がスルーホール４３によって導通することで、あらかじめパターン形成されているため、この回路基板４０を電気接続箱筐体部３０内に配置して各端子の圧接部１１ｃ〜１３ｃを導体部４１に圧接するように第１および第２電気接続箱ケースを組み立てて電気接続箱筐体部３０を構成すれば、汎用性の高い電気接続箱１００が完成する。【選択図】図１
2010263684.tif 000002
【特許請求の範囲】
【請求項１】
他の部品が接続される一端が外面側に露出し、他端が内面側に露出する接続端子が複数取り付けられた電気接続箱筐体部と、
前記電気接続箱筐体部内に配されて前記接続端子の他端にそれぞれ電気的に接続されて所定の回路を構成する基板部材とを備え、
前記接続端子の他端は、前記基板部材に形成された所定の回路を構成する導体部に圧接可能な弾性力を有し、
前記基板部材は、前記導体部における前記他端側と接触する部分が接触面側において露出した状態で形成されるとともに、前記電気接続箱筐体部に対して着脱可能に構成されている
ことを特徴とする電気接続箱。
【請求項２】
前記電気接続箱筐体部は、前記基板部材を前記接続端子と前記導体部とを接続可能に配置した状態で挟持することで一体化されるよう、一方向に二分割可能に構成されており、
前記基板部材は、二分割された前記電気接続箱筐体部にそれぞれ取り付けられた前記接続端子と、該二分割された電気接続箱筐体部を一体化したときに圧接される前記導体部が基板両面に形成されるとともに、該基板両面に形成された各導体部が基板本体を通じて電気的に導通されて前記所定の回路を構成する構造を有していることを特徴とする請求項１記載の電気接続箱。
【請求項３】
前記電気接続箱筐体部は、前記基板部材を前記接続端子と前記導体部とを接続可能に該電気接続箱筐体部内に挿入配置することができるよう、基板部材挿入口を備えた一体成型部材からなり、
前記基板部材は、前記基板部材挿入口から前記電気接続箱筐体部内に挿入された際に、該電気接続箱筐体部にそれぞれ取り付けられた前記接続端子と圧接される前記導体部が基板両面に形成されるとともに、該基板両面に形成された各導体部が基板本体を通じて電気的に導通されて前記所定の回路を構成する構造を有していることを特徴とする請求項１記載の電気接続箱。
【請求項４】
前記基板部材は、リジッド基板であることを特徴とする請求項１〜３のいずれか１項記載の電気接続箱。
【発明の詳細な説明】
【技術分野】
【０００１】
この発明は、自動車等の車両に搭載される電気接続箱に関する。
【背景技術】
【０００２】
自動車等の車両における電気配線を集約する電気接続箱として、下記特許文献１に開示されている電気接続箱が知られている。この電気接続箱は、アッパーケースとロアケースとで構成されるケースの内部に回路基板を収容し、各ケースにはコネクタ部が設けられてなる。回路基板の絶縁板にはタブ端子が貫通固定され、各タブ端子の下端がプリント基板の導電層に半田付けされ、プリント基板を折り曲げることにより、回路基板が形成される。
【先行技術文献】
【特許文献】
【０００３】
【特許文献１】特開平１１−１７８１６１号公報
【発明の概要】
【発明が解決しようとする課題】
【０００４】
しかしながら、上述した特許文献１に開示されている従来の電気接続箱では、タブ端子を半田付けした回路基板をケースの内部に収容する構成であるため、一つの電気接続箱では一態様の接続形態しか実現できず、他の接続形態を実現する場合は、新たな接続態様を実現するための回路構成を備える回路基板に対してタブ端子を半田付けしたものを用意し、これをケースの内部に収容しなければならない。このため、ジョイントボックスの汎用性に乏しいという問題があった。
【０００５】
この発明は、上述した従来技術による問題点を解消するため、汎用性に富み安価で容易に接続形態を変更し、設計自由度を向上させることができる電気接続箱を提供することを目的とする。
【課題を解決するための手段】
【０００６】
上述した課題を解決し、目的を達成するため、本発明に係る電気接続箱は、他の部品と接続される一端が外面側に露出し、他端が内面側に露出する接続端子が複数取り付けられた電気接続箱筐体部と、前記電気接続箱筐体部内に配されて前記接続端子の他端にそれぞれ電気的に接続されて所定の回路を構成する基板部材とを備え、前記接続端子の他端は、前記基板部材に形成された所定の回路を構成する導体部に圧接可能な弾性力を有し、前記基板部材は、前記導体部における前記他端と接触する部分が接触面側において露出した状態で形成されるとともに、前記電気接続箱筐体部に対して着脱自在に構成されていることを特徴とする。
【０００７】
本発明に係る電気接続箱は、以上のように構成されることにより、基板部材を電気接続箱筐体部に対して着脱することができるので、異なる回路構成の基板部材を着脱するだけで、所定の回路を変更して電子部品を電気的に接続することができるため、汎用性に富み安価で容易に接続される電子部品の接続形態を変更し、設計自由度を向上させることができる。
【０００８】
なお、前記電気接続箱筐体部は、例えば前記基板部材を前記接続端子と前記導体部とを接続可能に配置した状態で挟持することができるよう、一方向に二分割可能に構成されており、前記基板部材は、例えば二分割された前記電気接続箱筐体部にそれぞれ取り付けられた前記接続端子と、該二分割された電気接続箱筐体部を一体化したときに圧接される前記導体部が基板両面に形成されるとともに、該基板両面に形成された各導体部が基板本体を通じて電気的に導通されて前記所定の回路を構成する構造を有している。
【０００９】
また、前記電気接続箱筐体部は、例えば前記基板部材を前記接続端子と前記導体部とを接続可能に該電気接続箱筐体部内に挿入配置することができるよう、基板部材挿入口を備えた一体成型部材からなり、前記基板部材は、例えば前記基板部材挿入口から前記電気接続箱筐体部内に挿入された際に、該電気接続箱筐体部にそれぞれ取り付けられた前記接続端子と圧接される前記導体部が基板両面に形成されるとともに、該基板両面に形成された各導体部が基板本体を通じて電気的に導通されて前記所定の回路を構成する構造を有していてもよい。
【００１０】
なお、前記基板部材は、例えばリジッド基板である。
【発明の効果】
【００１１】
この発明に係る電気接続箱によれば、汎用性に富み安価で容易に接続形態を変更し、設計自由度を向上させることができる電気接続箱を提供することができる。
【図面の簡単な説明】
【００１２】
【図１】本発明の一実施形態に係る電気接続箱の全体構成の一例を説明するための分解断面図である。
【図２】同電気接続箱内の一部を拡大して示す斜視図である。
【図３】同電気接続箱の組立時の構成例を示す断面図である。
【図４】本発明の一実施形態に係る電気接続箱の全体構成の他の例を説明するための断面図である。
【発明を実施するための形態】
【００１３】
以下に、添付の図面を参照して、この発明に係る電気接続箱の好適な実施の形態を詳細に説明する。
【００１４】
図１は、本発明の一実施形態に係る電気接続箱の全体構成の一例を説明するための分解断面図、図２は同電気接続箱内の一部を拡大して示す斜視図、図３は同電気接続箱の組立時の構成例を示す断面図である。
【００１５】
図１〜図３に示すように、本実施形態に係る電気接続箱１００は、ヒューズ１、リレー２、および電線束からなるハーネス３に接続されたコネクタ４などの他の部品と接続されるヒューズ接続用端子１１、リレー接続用端子１２、およびコネクタ４内の図示しない接続端子と接続されるコネクタ接続用端子１３などが取り付けられた第１および第２電気接続箱ケース１０，２０からなる電気接続箱筐体部３０を備える。
【００１６】
また、電気接続箱１００は、電気接続箱筐体部３０内に着脱自在に配されて、上記各端子１１〜１３とそれぞれ電気的に接続されて所定の回路を構成する回路基板４０を備える。なお、本例の電気接続箱筐体部３０（すなわち、第１および第２電気接続箱ケース１０，２０）は、例えば一方向に二分割可能および一体的に組立可能に形成された樹脂成形部材からなり、各端子１１〜１３は、それぞれ第１および第２電気接続箱ケース１０，２０に形成された端子収容孔１４，１５，１６内に、あらかじめ圧入や一体成形により取り付け固定されている。
【００１７】
ヒューズ接続用端子１１は、例えば図１および図２に示すように、第１電気接続箱ケース１０の外面側における端子の先端（一端）側にヒューズ１のヒューズ端子１ａを挟み込んで固定し電気的に接続するための、二股に分岐された形状の端子把持部１１ａを備えるとともに、この端子把持部１１ａから続き第１電気接続箱ケース１０の内面側に露出する基端（他端）側に端子板面が途中の折曲部１１ｂにて直角状に折り曲げられて構成された圧接部１１ｃを備える。
【００１８】
この圧接部１１ｃは、例えば一部が回路基板４０との対向方向に緩やかな凸状となるように成形された形状を備えて構成され、回路基板４０において所定の回路を構成する導体部４１との接触時に、圧接部１１ｃ自体の弾性力と折曲部１１ｂの弾性力とで確実に導体部４１と接触されるように構成されている。なお、この圧接部１１ｃは、上記対向方向に緩やかな凹状となるように形成されていてもよく、その他導体部４１と確実に接触される形状で形成されていればよい。
【００１９】
リレー接続用端子１２は、第１電気接続箱ケース１０の外面側における端子の先端（一端）側にリレー２のリレー端子２ａが挿入されて嵌合される筒状の接続部１２ａと、図示は省略するが、第１電気接続箱ケース１０の内面側に露出する基端（他端）側に上記ヒューズ接続用端子１１の折曲部１１ｂと同様の構造を有する折曲部と、上記圧接部１１ｃと同様の構造を有する圧接部１２ｃとを備えて構成されている。
【００２０】
また、コネクタ接続用端子１３は、第２電気接続箱ケース２０の外面側における端子の先端（一端）側に、コネクタ４内の接続端子に挿入されて嵌合される棒状あるいは板状の接続部１３ａと、図示は省略するが、第２電気接続箱ケース２０の内面側に露出する基端（他端）側に上記ヒューズ接続用端子１１の折曲部１１ｂと同様の構造を有する折曲部と、上記圧接部１１ｃと同様の構造を有する圧接部１３ｃとを備えて構成されている。
【００２１】
なお、第２電気接続箱ケース２０には、コネクタ接続用端子１３を内部にて所定の態様で露出させた状態で形成された、コネクタ４が嵌合されるコネクタ嵌合部２１が形成されている。
【００２２】
一方、回路基板４０は、例えば所定の剛性を備えたポリエチレンテレフタレート（ＰＥＴ）、ポリエチレンナフタレート（ＰＥＮ）、ポリアミド（ＰＡ）、ガラスエポキシ樹脂あるいはエポキシ樹脂などの絶縁体からなる基材部４２と、この基材部４２の両面側にそれぞれパターン形成された銅、銅合金あるいはアルミニウム等の導電材からなる導体部４１と、前記基材部４２の表面側の導体部４１と裏面側の導体部４１とを導通させるために形成されたスルーホール４３とを備えるリジッド基板により構成されている。なお、回路基板４０は、このように構成されたリジッド基板を使用することが好ましいが、他の支持基板（図示せず）と併用することで、上記絶縁体の他にポリイミド（ＰＩ）などの絶縁体からなる基材部４２を有するフレキシブルプリント基板（ＦＰＣ）やフレキシブルフラットケーブル（ＦＦＣ）により構成することもでき、導通部４１が多層に形成された多層基板であってもよい。
【００２３】
この回路基板４０の基材部４２および導体部４１上には、図示しない絶縁保護膜としてのカバーレイが形成されていてもよいが、上記各端子１１〜１３の圧接部１１ｃ〜１３ｃと接触する部分においては、カバーレイは形成されておらず導体部４１が剥き出しとなった露出状態に形成されている。
【００２４】
このように構成された電気接続箱１００は、図１に示すように、ヒューズ１、リレー２、コネクタ４等が接続される各端子１１〜１３が固定された第１および第２電気接続箱ケース１０，２０からなる電気接続箱筐体部３０内に回路基板４０を収容して、図３に示すように両電気接続箱ケース１０，２０を一体化するように組み立てて回路基板４０の導体部４１に各端子１１〜１３の圧接部１１ｃ〜１３ｃを圧接することにより、ヒューズ１、リレー２およびコネクタ４等を、各端子１１〜１３および回路基板４０を介して所定の回路形態で電気的に接続することができる。
【００２５】
また、他の接続態様の電気接続箱１００を実現するときには、回路基板４０の導体部４１のパターンを変更した他の回路基板４０を電気接続箱筐体部３０内に収容し、この導体部４１のパターンが変更された回路基板４０に、各端子１１〜１３の圧接部１１ｃ〜１３ｃを圧接するようにすれば、同様の構成で各部材間の異なる電気接続を実現することができる。したがって、本実施形態に係る電気接続箱１００は、従来の電気接続箱のように回路の設計変更ごとに各ケース１０，２０における各端子１１〜１３を半田付けして配置変更する手間が不要で、各部材を流用することができるなど汎用性に富むとともに安価に構成することができ、容易に部品の接続形態を変更することができるため、低コストで電気的接続の設計自由度を向上させることが可能となる。
【００２６】
図４は、本発明の一実施形態に係る電気接続箱の全体構成の他の例を説明するための断面図である。なお、以降において、既に説明した部分と重複する箇所には同一の符号を付して説明を省略することとし、本発明に特に関連のない部分については明記しない場合があるとする。
【００２７】
図４に示すように、この例の電気接続箱１００Ａは、上述した電気接続箱１００とは、電気接続箱筐体部３０の構造、および回路基板４０の配置態様が相違している。具体的には、上述した電気接続箱１００は、第１および第２電気接続箱ケース１０，２０に一方向に二分割可能な構造を備え、これらの間に回路基板４０を配置して一体的に組み立てることで、各端子１１〜１３と回路基板４０の導体部４１とを接続する構成を採用した。
【００２８】
本例の電気接続箱１００Ａは、電気接続箱筐体部３０が、各端子１１〜１３を所定位置に配置した状態で一体成形された構造からなり、各端子１１〜１３の圧接部１１ｃ〜１３ｃ間に、例えば図中矢印方向から回路基板４０を挿入配置可能となるように、電気接続箱筐体部３０に基板挿入口３１を設けている。
【００２９】
これにより、上記電気接続箱１００と同様に、電気接続箱筐体部３０に対して基板挿入口３１から回路基板４０を挿入配置して回路基板４０の導体部４１に各端子１１〜１３の圧接部１１ｃ〜１３ｃを圧接することにより、ヒューズ１、リレー２およびコネクタ４等を、各端子１１〜１３および回路基板４０を介して所定の回路形態で電気的に接続することが可能となる。また、電気接続箱筐体部３０が一体成形により構成されているため、部品点数をさらに削減してモジュール化を図ることができる。
【００３０】
また、他の接続態様を実現するときには、回路基板４０の導体部４１のパターンを変更した他の回路基板４０を電気接続箱筐体部３０内に収容し、この回路基板４０に各端子１１〜１３の圧接部１ｃ〜１３ｃを圧接するようにすれば、同様の構成で各部材間の異なる電気接続を実現することができる。したがって、この電気接続箱１００Ａによっても、従来の電気接続箱のように回路の設計変更ごとに電気接続箱筐体部３０における各端子１１〜１３を半田付けして配置変更する手間が不要で、各部材を流用することができるなど汎用性に富むとともに安価に構成することができ、容易に部品の接続形態を変更することができるため、低コストで電気的接続の設計自由度を向上させることが可能となる。
【００３１】
以上説明したように、本実施形態に係る電気接続箱１００，１００Ａによれば、汎用性に富み安価で容易に接続形態を変更し、設計自由度を向上させることができる。なお、上述したように、内部回路を回路基板４０により形成するとともに、電気接続箱筐体部３０に取り付けられた各端子１１〜１３の圧接部１１ｃ〜１３ｃを回路基板４０に圧接するように構成した電気接続箱１００，１００Ａは、車両搭載用の用途のみならず、各種の電子・電気装置の一部に採用することで、簡単に装置とコネクタの間の回路構成を設定したり、変更したりすることが可能である。
【符号の説明】
【００３２】
１        ヒューズ
１ａ      ヒューズ端子
２        リレー
２ａ      リレー端子
３        ハーネス
４        コネクタ
１０      第１電気接続箱ケース
１１      ヒューズ接続用端子
１１ａ    端子把持部
１１ｂ    折曲部
１１ｃ    圧接部
１２      リレー接続用端子
１２ａ    接続部
１２ｃ    圧接部
１３      コネクタ接続用端子
１３ａ    接続部
１３ｃ    圧接部
１４      端子収容孔
１５      端子収容孔
１６      端子収容孔
２０      第２電気接続箱ケース
２１      コネクタ嵌合部
３０      電気接続箱筐体部
３１      基板挿入口
４０      回路基板
４１      導体部
４２      基材部
４３      スルーホール
１００    電気接続箱
１００Ａ  電気接続箱
【図１】
2010263684.tif 000003
【図２】
2010263684.tif 000004
【図３】
2010263684.tif 000005
【図４】
2010263684.tif 000006